(57)【要約】      （修正有）【課題】柄部を持ち、ほぼ中心線方向の下方に引くだけで、ローラー部と接触する部位に適切な挟圧とつまみあげ効果を与えることができる美容ローラーを得る。【解決手段】美容ローラーは、略Ｙ字型の柄部と２つのローラー部を備える。柄部には、手持ち部とローラー支持部が、それぞれの中心線が同一平面を形成しないように傾きをつけて備えられる。ローラー部には、弾力素材のラインが同周方向に設けられる。【選択図】図１
0003154738.tif 000002
【実用新案登録請求の範囲】
【請求項１】
略Ｙ字型の柄部および２つのローラー部を備えてなるＹ字型美容ローラーであって、
該略Ｙ字型の柄部は、１つの手持ち部と２つのローラー支持部を備え、該手持ち部と２つのローラー支持部は、それぞれの中心線が同一平面を形成しないように傾きをつけられており、
ローラー部は、硬質素材円筒ローラー上に弾力素材のラインが１本ないし複数本、円周方向に設けられており、
該柄部とローラー部とはローラー部が小さな抵抗を有しつつ回動自在となるよう接続されていることを特徴とするＹ字型美容ローラー。
【考案の詳細な説明】
【技術分野】
【０００１】
本考案は、挟圧マッサージ効果を生ずるＹ字型美容ローラーに関するものである。
【背景技術】
【０００２】
美容ローラーには従来いくつかの種類が知られており、形状としては１本の棒状のもの、Ｔ字型のもの、１つの球形や円筒形のローラーを分岐した柄で支持するものなどが知られている。ヘッド部に特殊な素材やヒーターなどの加温装置を使用して効果を期待するものもある。
【０００３】
しかし、これらの美容ローラーで適用部位に加えられる力のベクトルは、表面から奥部への１方向にすぎないため、使用者が自身で適度な押圧力を調節しなければならず、面倒である。使用者の手加減によって、また、適用部位の形状によって、強く押しつけすぎたり、弱すぎたり、むらがあった。このため、使用部位に対して必ずしも適切な圧力を加えられるものとはいえなかった。
図１は、従来の美容ローラーを示したものであり、１は柄部、２はローラー部を表す。これらの美容ローラーは、使用者にとって、適度な圧力がわかりづらく、加圧方向が単調で、使用しづらいという欠点があった。
【先行技術文献】
【特許文献】
【０００４】
【特許文献１】特開平１１−０７６３４８号
【特許文献２】特開２００８−０３６２４７号
【考案の概要】
【考案が解決しようとする課題】
【０００５】
本考案が解決しようとする問題点は、通常の美容ローラーでは加圧方向が単調で、使用者が適切な圧力を調節しなければならないという点である。本考案は、これらの問題を解決した美容ローラーを提供する。
【課題を解決するための手段】
【０００６】
本考案は、適用部位に対して適切な加圧を行うため、一定の傾斜を加えた、略Ｙ字型の美容ローラーを最も主要な特徴とする。
より詳しくは、本考案は、略Ｙ字型の柄部および２つのローラー部を備えてなるＹ字型美容ローラーであって、
該略Ｙ字型の柄部は、１つの手持ち部と２つのローラー支持部を備え、該手持ち部と２つのローラー支持部は、それぞれの中心線が同一平面を形成しないように傾きをつけられており、
ローラー部は、弾力素材のラインが１本ないし複数本、円周方向に設けられた２つの円筒ローラーであり、
該柄部とローラー部とはローラー部が小さな抵抗を有しつつ回動自在となるよう接続されていることを特徴とするＹ字型美容ローラーである。
【考案の効果】
【０００７】
本考案のＹ字型美容ローラーは、弾力素材のラインが１本ないし複数本、円周方向に設けられた２つの円筒ローラー部を、Ｔ字ではなく略Ｙ字型の柄に配置したので、美容ローラー全体が移動されれば、摩擦により、ローラー部がローラーを引く力を適度な挟圧に変換する。しかも接触面に対して平行ではなく、先端部がより深く接触し、つけね部が浅く接触するように、柄のＹ字が同一平面外になり傾きを生じるよう、屈曲を設けた。したがって、この美容ローラーで挟圧をうけた部位はローラー方向にも力をうけ、ソフトにつまみあげるがごとき動きを容易に実現できる利点がある。
【図面の簡単な説明】
【０００８】
【図１】図１は従来の美容ローラーを示した説明図である。
【図２】図２は本考案のＹ字型美容ローラーを示した平面図である。（実施例１）
【図３】図３は本考案のＹ字型美容ローラーを示した側面図である。（実施例１）
【図４】図４は本考案のＹ字型美容ローラーの使用例を示した図である。（実施例１）
【考案を実施するための形態】
【０００９】
本願の略Ｙ字型の柄部および２つのローラー部を備えてなるＹ字型美容ローラーを実施例１により図２、図３を参照しながら構成要素別に説明する。
【実施例１】
【００１０】
本考案に掛かる美容ローラーにおいて、該略Ｙ字型の柄部３は、１つの手持ち部と２つのローラー支持部を備え、該手持ち部と２つのローラー支持部は、それぞれの中心線が同一平面を形成しないように傾きをつけられている（図中、中心線は参考のための線であり、実際の製品には存在しない）。この傾きは使用感のよい角度を適宜選択することができるが、たとえば柄部を含む平面から、ローラー部が均等に、ほぼ１０度〜４５度程度起きあがるような角度であってもよい。また、左右のローラーが不均等な傾きを有してもよい。２つのローラー支持部のY字型の開きも、使用感のよい角度を適宜選択することができるが、たとえば柄部の中心線から均等に５０〜８０度程度開いていてもよい。
【００１１】
ローラー部４は、弾力素材のライン５が１本ないし複数本（図２−４では３本）、円周方向に設けられた２つの円筒ローラーであり、ここで弾力素材は合成ゴム（ブチルゴム、イソプレンゴム）、シリコンゴム、などであってよい。これらに各種薬剤（抗菌剤など）を練り込んであっても良い。弾力素材のライン５は、図のように硬質円筒ローラー部材６の表面に溝を設けて埋め込み配置してもよいし、図示しない例だがローラー部４の表面ごと一体型に形成されていてもよい。硬質円筒ローラー部材６を採用する場合、その素材は、金属（アルミ合金、ステンレス合金など。一般的に健康によいと信じられている金属（ゲルマニウム、バナジウム、プラチナなど）の合金や、鉱物（トルマリン）を配合したものなど）であってもよいし、各種プラスチックであってもよい。ローラー部４は触感や健康効果のために表面処理されたものでもよい。ローラー部４の内部にヒーターやバイブレーターが配置されていてもよい。
【００１２】
該柄部３とローラー部４とはローラー部４が小さな抵抗を感じつつ回動自在となるよう接続されている。両者は例えばベアリングにより接続されていてもよい。
図４を参照して説明すると、本考案のＹ字型美容ローラーは、弾力素材のラインが１本ないし複数本、円周方向に設けられた２つの円筒ローラー部を、Ｔ字ではなく略Ｙ字型の柄に配置した。このため、図４での下方向へ柄を引くと、美容ローラー全体が適用部位上を移動しながら、摩擦をうけて、ローラー部４が、図４での反時計回り方向に回転する。このことでローラーを引く力を適度な挟圧に変換する。しかも、ローラー部４の取り付けにあたっては、接触面に対して平行や垂直ではなく、先端部がより深く接触し、つけね部が浅く接触するように、柄のＹ字が同一平面外になり傾きを生じるような屈曲を設けた。したがって、この美容ローラーで挟圧をうけた部位はローラーの回転方向にしたがって、ソフトにつまみあげられる。すなわち、本考案の美容ローラーは、つまみあげるような動きを容易に実現できる利点がある。
【産業上の利用可能性】
【００１３】
本考案により、柄部を持ち、ほぼ中心線方向の下方に引くだけで、ローラー部と接触する部位に適切な挟圧とつまみあげ効果を与えることができる美容ローラーを得られたので、美容産業に貢献することができる。
【符号の説明】
【００１４】
１    柄部
２    ローラー部
３    略Ｙ字型の柄部
４    ローラー部
５    弾力素材のライン
６    硬質円筒ローラー部材
【図１】
0003154738.tif 000003
【図２】
0003154738.tif 000004
【図３】
0003154738.tif 000005
【図４】
0003154738.tif 000006